(57)【要約】【課題】ユーザーが表示言語を簡単に設定することができる技術を提供する。【解決手段】タイムゾーンテーブル１３１には、ＵＴＣのタイムゾーンと各タイムゾーンに属する国とが対応づけられている。国名テーブル１３２には、国名と各国の言語とが対応づけられている。操作パネル１１を介してユーザーの母国の時刻が入力されると、表示言語切替部１４１は、入力された時刻をタイムゾーンに変換し、タイムゾーンテーブル１３１を参照して、入力された時刻のタイムゾーンに属する国をユーザーの母国候補として取得する。表示言語切替部１４１は、国名テーブル１３２を参照して、母国候補の国の言語に絞り込んだ表示言語一覧を操作パネル１１に表示させ、表示言語セット１３３を参照して、ユーザーに選択された表示言語に切り替えて画面表示させる。【選択図】図１
2015191475.tif 000002
【特許請求の範囲】
【請求項１】
複数の言語が表示された表示言語一覧の中から選択された言語で画面表示を行う電子機器であって、
入力されたユーザーの母国の時刻情報に基づいて、前記表示言語一覧を前記ユーザーの母国のタイムゾーンに属する国の言語に絞り込む表示言語切替部を備えた
ことを特徴とする電子機器。
【請求項２】
前記母国の時刻情報は、前記母国の現地時間である
ことを特徴とする請求項１に記載の電子機器。
【請求項３】
前記母国の時刻情報は、前記ユーザーの現在地に対する前記ユーザーの母国の時差である
ことを特徴とする請求項１に記載の電子機器。
【請求項４】
前記表示言語切替部は、
絞り込んだ言語が１つであった場合、前記絞り込んだ言語で画面表示させる
ことを特徴とする請求項１から３までのいずれか１項に記載の電子機器。
【発明の詳細な説明】
【技術分野】
【０００１】
本発明は、複数の言語の中からユーザーに選択された言語で画面表示可能な電子機器に関する。
【背景技術】
【０００２】
画像形成装置には、画面の表示言語を切り替え可能な機能を備えたものがある。近年、画像形成装置は、発展途上国等においても需要が高まってきており、対応する表示言語の種類が増加傾向にある。
【０００３】
表示言語を設定する技術には、切り替え可能な表示言語の一覧からユーザーに表示言語を選択させ、選択された表示言語で画面表示するものがある（例えば、特許文献１を参照）。特許文献１の技術では、表示言語を選択させる際の案内を世界中で理解できる人の多い英語で行うことで、表示言語を設定しやすくしている。
【先行技術文献】
【特許文献】
【０００４】
【特許文献１】特開２０００−３０５６９０号公報
【発明の概要】
【発明が解決しようとする課題】
【０００５】
しかしながら、従来の技術では、切り替え可能な全ての表示言語が一覧表示されるため、ユーザーが目的の表示言語を見つけにくく、簡単に設定することができなかった。
【０００６】
本発明は上記課題に鑑みてなされたものであり、上記課題を解決することができる技術を提供することを目的とする。
【課題を解決するための手段】
【０００７】
本発明の電子機器は、複数の言語が表示された表示言語一覧の中から選択された言語で画面表示を行う電子機器であって、入力されたユーザーの母国の時刻情報に基づいて、前記表示言語一覧を前記ユーザーの母国のタイムゾーンに属する国の言語に絞り込む表示言語切替部を備えたことを特徴とする。
また、前記母国の時刻情報は、前記母国の現地時間であってもよい。
また、前記母国の時刻情報は、前記ユーザーの現在地に対する前記ユーザーの母国の時差であってもよい。
また、前記表示言語切替部は、絞り込んだ言語が１つであった場合、前記絞り込んだ言語で画面表示させてもよい。
【発明の効果】
【０００８】
本発明によれば、ユーザーが表示言語を簡単に設定することができる技術を提供できる。
【図面の簡単な説明】
【０００９】
【図１】本発明に係る実施形態の画像形成装置の構成を示すブロック図である。
【図２】図１に示す操作パネルに表示される時刻入力領域のイメージ図である。
【図３】図１に示す表示言語切替部の処理の流れを示すフローチャートである。
【図４】図１に示す操作パネルに表示される時刻入力領域に時刻が入力された様子を示すイメージ図である。
【図５】図１に示す操作パネルに表示される表示言語一覧の一例である。
【図６】図１に示す操作パネルに表示されるデフォルト画面の一例である。
【発明を実施するための形態】
【００１０】
以下、図を参照して本発明の実施形態を詳細に説明する。なお、以下の実施形態において、同様の機能を示す構成には、同一の符号を付してある。
【００１１】
図１に示すように、画像形成装置１００は、操作パネル１１と通信部１２と制御部１４と記憶部１３と原稿読取部１５と画像処理部１６と印刷部１７とを備えている。
【００１２】
操作パネル１１は、タッチパネルと操作ボタンとを備えている。タッチパネルは、各種操作キーや画像形成状況を表示する表示部の表面に透明の感圧センサーが設けられており、表示手段及び入力手段として機能する。タッチパネルは、表示面へのタッチ操作を検知して、タッチ操作が検知された位置に対応する信号を出力することで、表示部に表示した操作キーへの操作を受け付ける。タッチパネルには、図２に示すように、ホーム画面やデフォルト画面等の目立つ位置に時刻入力領域８１が設けられている。時刻入力領域８１は、２４時間表記で時刻の入力が可能になっており、ユーザーの母国の時刻が入力される。また、操作ボタンは、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。
【００１３】
通信部１２は、ＬＡＮ（Local Area Network）等のネットワークを介して、外部端末と各種データを送受信する機能を有する。
【００１４】
記憶部１３は、半導体メモリーやＨＤＤ（Hard Disk Drive）等の記憶手段であり、原稿読取部１５によって読み取られた画像データや、通信部１２を介して受信された画像データが蓄積される記憶手段である。また、記憶部１３には、タイムゾーンテーブル１３１と国名テーブル１３２と表示言語セット１３３が記憶されている。
【００１５】
タイムゾーンテーブル１３１は、ＵＴＣ（Coordinated Universal Time：協定世界時）のタイムゾーン（例えば、ＵＴＣ−１２〜ＵＴＣ＋１４のように、ＵＴＣに対する時差情報を有している）と各タイムゾーンに属する国とを対応づけて記憶している。例えば、「ＵＴＣ−７」には、「アメリカ（山岳部標準時・太平洋夏時間）」、「カナダ（山岳部標準時・太平洋夏時間）」、「メキシコ（複数地域）」が対応づけられている。また、国名テーブル１３２は、タイムゾーンテーブル１３１の各国に対応しており、国名と各国の言語（公用語等の予め定めた言語）とが対応付けられている。例えば、「アメリカ（山岳部標準時・太平洋夏時間）」には「英語」が、「カナダ（山岳部標準時・太平洋夏時間）」には「英語」が、「メキシコ（複数地域）」には「スペイン語」が対応づけられている。また、表示言語セット１３３は、国名テーブル１３２の各言語に対応しており、画面表示に必要な各言語の文字セットである。なお、各タイムゾーンと各タイムゾーンに属する国の言語とが対応づけられていてもよい。
【００１６】
原稿読取部１５は、図示しない原稿給紙装置により給紙されてきた原稿や、ユーザーによってプラテンガラスに載置された原稿に対して光を照射し、その反射光等を受光して原稿画像を読み取って画像データを出力するスキャナーである。
【００１７】
画像処理部１６は、画像データに対して画像処理を行う手段である。画像処理部１６では、例えば、拡大縮小処理や、濃度調整、階調調整等の画像改善処理が行われる。
【００１８】
印刷部１７は、画像データを印刷する印刷手段である。印刷部１７は、例えば、記憶部１３から読み出した画像データに基づき感光体ドラムの表面に潜像を形成し、トナーによってその潜像をトナー像とする画像形成を行い、図示しない給紙部から搬送されてきた記録紙に感光体ドラムのトナー像を転写させ、そのトナー像を記録紙に定着させて排紙する。
【００１９】
制御部１４は、操作パネル１１、通信部１２、記憶部１３、原稿読取部１５、画像処理部１６及び印刷部１７にそれぞれ接続され、操作パネル１１から入力された指示情報に応じて画像形成装置１００全体の動作制御を実行する。制御部１４は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１４は、ＲＯＭに記憶されている制御プログラムを読み出し、制御プログラムをＲＡＭに展開させることで、操作パネル１１から入力された指示情報に応じて装置全体の制御を行う。なお、制御プログラムは、不図示のネットワーク又は不図示のコンピューター読取可能な記録媒体を介してＲＯＭに記憶されてもよい。
【００２０】
また、制御部１４は、画面の表示言語を切り替える表示言語切替部１４１として機能する。表示言語切替部１４１は、入力されたユーザーの母国の時刻（母国の現地時間）に基づいて、ユーザーの母国のタイムゾーンに属する国をユーザーの母国候補として取得し、母国候補の国の言語に絞り込んだ表示言語一覧を表示させて、ユーザーに選択された言語で画面表示させる機能を有する。
【００２１】
具体的に、図３を参照して、表示言語切替部１４１の処理の流れを説明する。なお、予め画像形成装置１００は、ＵＴＣを有している。ＵＴＣは、予めメーカーによって製造時に設定されてもよいし、ＧＰＳ（Global Positioning System）等を介して取得されてもよい。
【００２２】
表示言語切替部１４１は、時刻入力領域８１に時刻が入力されたか判定し（ステップｓ１１）、時刻が入力されていない場合（ステップｓ１１でＮｏ）、ステップｓ１１に処理を戻す。時刻が入力されると（ステップｓ１１でＹｅｓ）、表示言語切替部１４１は、入力された時刻をタイムゾーンに変換する（ステップｓ１２）。例えば、表示言語切替部１４１は、入力された時刻とＵＴＣとの時差を計算し、計算した時差に対応してＵＴＣのタイムゾーンを取得することができる。つづいて、表示言語切替部１４１は、タイムゾーンテーブル１３１を参照して、入力された時刻のタイムゾーンに属する国をユーザーの母国候補として取得する（ステップｓ１３）。
【００２３】
つづいて、表示言語切替部１４１は、国名テーブル１３２を参照して、母国候補の国の言語を取得し（ステップｓ１４）、母国候補の国の言語に絞り込んだ表示言語一覧を操作パネル１１に表示させる（ステップｓ１５）。つづいて、表示言語切替部１４１は、ユーザーにより言語が選択されたか判定し（ステップｓ１６）、選択されていない場合（ステップｓ１６でＮｏ）、ステップｓ１６に処理を戻す。ユーザーにより言語が選択されると（ステップｓ１６でＹｅｓ）、表示言語切替部１４１は、表示言語セット１３３を参照して、ユーザーに選択された言語で画面表示させ（ステップｓ１７）、本処理を終了する。
【００２４】
例えば、図４に示すようにユーザーの母国（メキシコ）の時刻として「16：20」が時刻入力領域８１に入力されたとする。このとき、「16：20」に対応するタイムゾーンは「ＵＴＣ−７」だったとする。表示言語切替部１４１は、ユーザーの母国のタイムゾーン「ＵＴＣ−７」に属する「アメリカ」、「カナダ」及び「メキシコ」をユーザーの母国候補として取得し、母国候補の国の言語のみに絞りこんだ表示言語一覧を操作パネル１１に表示させる。この場合、「アメリカ」、「カナダ」の言語はそれぞれ「英語」であり、「メキシコ」の言語は、「スペイン語」であるから、図５に示すように、「英語」及び「スペイン語」のみが選択肢として表示言語一覧８２に表示される。そして、ユーザーにより表示言語一覧８２から「スペイン語」が選択されると、図６に示すように、表示言語が「スペイン語」になったデフォルト画面８３が表示される。なお、表示言語切替部１４１は、絞り込んだ母国候補の国の言語が１つになった場合、表示言語一覧８２を表示してユーザーに言語を選択させることなく、絞り込んだ母国候補の国の言語で画面表示させるようにしてもよい。
【００２５】
このように、本実施形態の画像形成装置１００は、ユーザーによって入力された時刻に基づいて、入力された時刻のタイムゾーンに属する国をユーザーの母国候補として取得し、母国候補の国の言語に絞り込んだ表示言語一覧８２を表示する。そのため、表示言語一覧８２に表示される言語数が少なくなり、ユーザーが母国の言語を簡単に選択することができる。これによれば、オリンピック事務局などのように多国籍の人が大勢働く職場において、各ユーザーが簡単に母国の表示言語で画像形成装置１００を使用することができる。
【００２６】
本発明は上述した実施の形態に限定されるものではなく、本発明の趣旨を逸脱しない範囲で種々様々に変更が可能であることは言うまでもない。
【００２７】
例えば、上記実施形態では、ユーザーに母国の時刻を入力させたが、ユーザーの現在地に対するユーザーの母国の時差を入力させてもよく、表示言語切替部１４１は、入力された時差を予め設定された画像形成装置１００の設置場所の現地時間にオフセット加算して、ユーザーの母国の時刻を算出してもよい。通常、ユーザーは、母国の時刻を把握していることが多いため、母国の時刻を簡単に入力できることが多い。そのため、上記実施形態では、ユーザーに母国の時刻を入力させる例を説明したが、例えば＋５時間等、ユーザーの現在地に対するユーザーの母国の時差を入力させることで、より簡単に入力させることができる。また、ユーザーにより母国の時刻が入力され、母国の表示言語で画面表示した場合であっても、画像形成装置１００に表示する時間は、予め設定された画像形成装置１００の設置場所の現地時間が表示されるようにしてもよい。
【００２８】
また、上記実施形態では、画像形成装置１００を例に説明したが、これに限らず、例えば、携帯電話や、スマートフォン、タブレット端末等の携帯端末や、プロジェクター等の電子機器であってもよい。
【符号の説明】
【００２９】
１１  操作パネル
１２  通信部
１３  記憶部
１４  制御部
１５  原稿読取部
１６  画像処理部
１７  印刷部
８１  時刻入力領域
８２  表示言語一覧
８３  デフォルト画面
１００  画像形成装置
１３１  タイムゾーンテーブル
１３２  国名テーブル
１３３  表示言語セット
１４１  表示言語切替部
【図１】
2015191475.tif 000003
【図２】
2015191475.tif 000004
【図３】
2015191475.tif 000005
【図４】
2015191475.tif 000006
【図５】
2015191475.tif 000007
【図６】
2015191475.tif 000008